(57)【特許請求の範囲】
【請求項１】
ケーブルラックまたは設備用ダクトの開口部を施蓋する平形カバーにおいて、ケーブルラックまたは設備用ダクトの開口部に位置するカバー端部側縁に、該端部から上方に向けて屈曲された補強曲片を形成し、該補強曲片は、鉛直上方に向けて突出する突当部と、この突当部からカバー方向に向けて略水平に屈曲された係止部とを有し、隣接するカバーの補強曲片相互を突き当てて連設すると共に、該補強曲片に外嵌するカバークランプを形成し、このカバークランプを連続する補強曲片相互に被着することを特徴とする上折り曲げ付カバー。
【発明の詳細な説明】
【０００１】
【発明の属する技術分野】
本発明は、主に幅広のケーブルラックや各種設備用ダクトの開口部を施蓋するのに好適な上折り曲げ付カバーに関する。
【０００２】
【従来の技術】
従来、ケーブルラックや各種のダクトを施蓋する場合に、図６に示すような平形カバー１０と称するカバーが使用されている。この平形カバー１０は、薄鋼板を使用したもので、ケーブルラックや各種ダクトの側縁に係止する係止側縁１１をカバー１０の両側縁に屈曲形成したものである。
【０００３】
従来の平形カバー１０を使用する際に、平形カバー１０の幅員が広くなるに連れて、カバーの中央部位１２が薄鋼板の自重によって垂れ下がるなどの変形を生じることがある。そこで、従来では、ケーブルラックの開口部に、棒状の撓み防止具を架設し、平形カバーの中央部位など、変形しやすい部分をこの撓み防止具で支持する手段が採られている。
【０００４】
【発明が解決しようとする課題】
ところが、平形カバーを支持する撓み防止具を使用すると、ケーブルラック等の内部に、この撓み防止具を装着することになるので、ケーブル等を収納する有効高さが撓み防止具によって規制されてしまう。この結果、ケーブル等の積載量が減少する不都合があった。
【０００５】
また、平形カバーは、薄い鋼板を使用しているのでカバー自体の剛性が弱くなる。このため、製品を運搬する場合も変形が生じ易い。したがって、運搬時や保存時等でも、変形を生じさせないようにする充分な注意を払う必要があった。
【０００６】
さらに、平形カバーをケーブルラック等の分岐部分に使用する場合は、この分岐形状に対応した幅広の平形カバーが使用される。このような分岐部分には、前術の撓み防止具等の装着が困難になるケースが多い。この場合、幅広の平形カバーの中央部位が撓んで雨水等が溜まってしまうなどの不都合が生じていた。また、一般的に使用される板材は、1524mm×3048mmまでの大きさしかなく、それ以上のサイズを必要とするカバーは、必ず分割式となる。平形カバーの場合、分割すると、より撓みが大きくなってしまう。
【０００７】
一方、屋外で使用されるケーブルラックやダクトは、風雨にさらされるため、平形カバーの継ぎ目などから雨水や埃等が浸入しないように、ケーブルラックやダクトの外側を押さえるカバークランプや、カバークリップなどを使用して平形カバーを固定している。しかしながら、このようなカバークランプやカバークリップなどを使用しても、平形カバーの付き合わせ部分に生じる撓みによって、この付き合わせ部分に隙間が発生してしまうので、この隙間から雨水や埃が浸入するのを防止することは困難であった。
【０００８】
そこで本発明は、上述の課題を解消すべく創出されたものであり、平形カバーの強度を高め、装着時や運搬時の変形を防止することが可能で、カバー相互の連続端部を密着状態で突き当てることが可能な上折り曲げ付カバーの提供を目的とする。
【０００９】
【課題を解決するための手段】
上述の目的を達成すべく本発明の手段は、ケーブルラックまたは設備用ダクトの開口部を施蓋する薄鋼板製のカバー１において、ケーブルラックまたは設備用ダクトの開口部に位置するカバー端部側縁に、該端部から上方に向けて屈曲した補強曲片２を形成し、該補強曲片２は、鉛直上方に向けて突出する突当部２Ａと、この突当部２Ａからカバー方向に向けて略水平に屈曲された係止部２Ｂとを有し、隣接するカバー１の補強曲片２相互を突き当てて連設すると共に、該補強曲片２に外嵌するカバークランプ３を形成し、このカバークランプ３を連続する補強曲片２相互に被着することを課題解消のための手段とする。
【００１０】
【発明の実施の形態】
以下、図面を参照して、本発明の実施の形態を詳細に説明する。
【００１１】
本発明上折り曲げ付カバーは、ケーブルラックまたは設備用ダクトの開口部を施蓋する薄鋼板製のカバー１として形成される。通常は、帯板形状の長手側縁を屈曲して一対の係止側縁１Ａを形成している。また、ケーブルラック等の分岐部分に使用する場合は、このカバー１を分岐形状に合わせた形状に形成する（図３参照）。
【００１２】
図１及び図２に示すカバー１には、ケーブルラックまたは設備用ダクトの開口部に位置するカバー端部側縁に、該端部から上方に向けて屈曲した補強曲片２を形成している。この補強曲片２は、鉛直上方に向けて突出する突当部２Ａと、この突当部２Ａからカバー方向に向けて略水平に屈曲された係止部２Ｂとで構成されている（図２参照）。また、図３に示すカバー１は、ケーブルラック等の分岐部分に使用するものであるから、最も撓みが生じ易い中央部を分割し、この分割端部に補強曲片２を形成している。こうすることで、撓み防止具等の装着が困難な、幅広の分岐用カバーにおいても、中央部位が撓んで雨水等が溜まってしまうなどの不都合を解消できる。
【００１３】
図４に示す補強曲片２に、カバークランプ３を外嵌させている。このカバークランプ３は、断面略コ字形状を成し、開放端部を更に内側に向けて屈曲することで、一対の支持片３Ａを設けている。同図のカバークランプ３は、補強曲片２を内部に収納した状態で被着している。
【００１４】
図５に示すカバー１は、補強曲片２における突当部２Ａの高さに対して係止部２Ｂの長さを長めに形成している。そして、同図に示すカバークランプ３は、カバー１と係止部２Ｂとの間に挿入する支持片３Ａを形成している。この支持片３Ａによると、補強曲片２と支持片３Ａとが一体になって、より強度に優れた支持力を発揮する。
【００１５】
【発明の効果】
本発明は、上述の如く構成したことにより、当初の目的を達成する。
【００１６】
すなわち、ケーブルラックまたは設備用ダクトの開口部に位置するカバー端部側縁に、該端部から上方に向けて屈曲した補強曲片２を形成し、隣接するカバー１の補強曲片２相互を突き当てて連設することにより、平形カバーの強度を高め、装着時や運搬時の変形を防止することが可能になった。また、1524mm×3048mm以上のサイズを必要とするカバーを分割しても、分割部分の撓みを防止することができる。
【００１７】
また、補強曲片２は、鉛直上方に向けて突出する突当部２Ａと、この突当部２Ａからカバー方向に向けて略水平に屈曲された係止部２Ｂとを有するので、カバー相互の連続端部を密着状態で突き当てることができる。
【００１８】
しかも、補強曲片２に外嵌するカバークランプ３を形成し、このカバークランプ３を連続する補強曲片２相互に被着することにより、カバー１相互の補強曲片２をこの係合部３が被覆するので、雨水や埃等の浸入を完璧に防止することができる。また、カバー１がケーブルラック等の長手方向にずれるのを抑制する効果もある。
【００１９】
このように、本発明によると、平形カバーの強度を高め、装着時や運搬時の変形を防止することが可能で、カバー相互の連続端部を密着状態で突き当てることが可能であるなどといった有益な種々の効果を奏するものである。
【図面の簡単な説明】
【図１】  本発明の一実施例を示す要部斜視図。
【図２】  本発明の一実施例を示す要部側面図。
【図３】  本発明カバーの他の実施例を示す平面図。
【図４】  本発明のカバークランプの使用状態を示す要部断面図。
【図５】  本発明補強曲片とカバークランプとの他の実施例を示す要部断面図。
【図６】  従来の平形カバーを示す要部斜視図。
【符号の説明】
１ カバー           １Ａ 係止側縁
２ 補強曲片         ２Ａ 突当部
２Ｂ 係止部
２Ｃ 嵌合部
３ カバークランプ   ３Ａ 支持片
１０ 平形カバー
１１ 係止側縁
１２ 中央部位
【図１】
0003692505.tif 000002
【図２】
0003692505.tif 000003
【図３】
0003692505.tif 000004
【図４】
0003692505.tif 000005
【図５】
0003692505.tif 000006
【図６】
0003692505.tif 000007